(57)【要約】【課題】容易に嵌合することができる低挿入力コネクタを提供する。【解決手段】低挿入力コネクタ１は、プラグコネクタハウジング１０とレセプタクルコネクタハウジング２０とから構成され、プラグコネクタハウジング１０の嵌合本体部１１には係合部３０が備えられ、レセプタクルコネクタハウジング２０の嵌合部２１にはスリット部２２とレバー部４０とリブ５１，５２とが備えられている。レバー部４０はリブ５１，５２の凹部４５に沿って移動及び凸部４４を中心として回動することができる構造からなり、スリット部２２に挿入された係合部３０の凹み部３３に先端部４１を係合し、嵌合方向にてこの原理を利用して係合部３０を押圧することにより嵌合本体部１１を嵌合部２１の内側に完全嵌合させることができる。【選択図】  図１
2004200070.tif 000002
【特許請求の範囲】
【請求項１】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、この嵌合本体部の側壁に設けられた、前記側壁の外面に突設された係合部とを備え、
前記レセプタクルコネクタハウジングは、
壁部を有しこの壁部に沿って前記プラグコネクタハウジングの嵌合本体部が内側に嵌合し、嵌合時に前記係合部が移動可能となるように前記壁部にスリット部が形成された縦断面が凹状の嵌合部と、このスリット部が形成された壁部の外面側に設けられた、嵌合時に前記スリット部に挿入された前記係合部を嵌合方向に押圧して前記嵌合本体部を前記嵌合部に完全嵌合するためのレバー部とを備え、
前記レバー部は、嵌合時に先端部が前記係合部と係合すると共に前記スリット部のスリット形状に沿って前記嵌合方向に移動可能な作用点となり且つ基端部が力点となるように、前記先端部及び基端部の間に前記壁部の外面に沿った方向に回転軸を形成する状態で回動可能であると共に前記壁部に対して直交する方向に前記回転軸を支点として移動可能な構造を備えて設けられている
ことを特徴とする低挿入力コネクタ。
【請求項２】
前記係合部は、前記嵌合方向に凹んだ形状の凹み部を有し、前記レバー部は、前記先端部が前記係合部の凹み部に嵌った状態で係合し回動するように、前記係合部が通る大きさの穴部を備えて構成されていることを特徴とする請求項１記載の低挿入力コネクタ。
【請求項３】
前記レバー部は、前記先端部及び基端部の間に、前記回転軸を形成する互いに反対方向に突出する複数の凸部を備え、
前記嵌合部の壁部には、前記壁部の外面から前記壁部と直交する方向に突出する一対のリブが形成され、
これらリブの対向端部には、前記複数の凸部がそれぞれ移動可能な状態で嵌合する前記壁部に対して直交する方向に溝状に延びる一対の凹部が形成されている
ことを特徴とする請求項１又は２記載の低挿入力コネクタ。
【請求項４】
前記レバー部は、前記先端部及び基端部の間に、前記回転軸を形成する互いに反対方向に突出する複数の凸部を備え、
前記嵌合部の壁部には、前記壁部の外面から前記壁部と直交する方向に突出する一対のリブが形成され、
これらリブの対向端部及び該対向端部と連続する前記スリット部の対向端部には、前記複数の凸部がそれぞれ移動可能な状態で嵌合する前記壁部に対して直交する方向に溝状に延びる一対の凹部が形成されている
ことを特徴とする請求項１又は２記載の低挿入力コネクタ。
【請求項５】
前記レバー部は、前記先端部及び基端部の間の前記先端部及び基端部を結ぶ方向と直交する方向の一対の端面に、前記レバー部の外形に沿って溝状に延びる一対の凹部を備え、
前記嵌合部の壁部には、前記壁部の外面から前記壁部と直交する方向に突出する一対のリブが形成され、
これらリブの対向端部には、前記レバー部の一対の凹部とそれぞれ嵌合する互いに対向する方向に突出する一対の凸部が形成されている
ことを特徴とする請求項１又は２記載の低挿入力コネクタ。
【請求項６】
前記係合部は、前記嵌合方向に凹んだ形状の複数の凹み部を有し、
前記レバー部は、前記係合部と係合する先端部と、前記壁部に回動及び移動可能な構造で枢支される基端部と、前記先端部及び基端部を繋ぐ繋ぎ部とから構成され、
前記基端部は、前記回転軸を形成する互いに反対方向に突出する複数の凸部を備え、
前記嵌合部の壁部には、前記壁部の外面から前記壁部と直交する方向に突出する一対のリブが形成され、
これらリブの対向端部には、前記複数の凸部がそれぞれ移動可能な状態で嵌合する前記壁部に対して直交する方向に溝状に延びる一対の凹部が形成され、
前記繋ぎ部は、前記先端部が前記係合部の複数の凹み部に嵌った状態で係合し回動するように、前記複数の凹み部間を通る形状で形成されている
ことを特徴とする請求項１記載の低挿入力コネクタ。
【請求項７】
前記係合部は、前記嵌合方向に凹んだ形状の複数の凹み部を有し、
前記レバー部は、前記係合部と係合する先端部と、前記壁部に回動及び移動可能な構造で枢支される基端部と、前記先端部及び基端部を繋ぐ繋ぎ部とから構成され、
前記基端部は、前記回転軸を形成する互いに反対方向に突出する複数の凸部を備え、
前記嵌合部の壁部には、前記壁部の外面から前記壁部と直交する方向に突出する一対のリブが形成され、
これらリブの対向端部及び該対向端部と連続する前記スリット部の対向端部には、前記複数の凸部がそれぞれ移動可能な状態で嵌合する前記壁部に対して直交する方向に溝状に延びる一対の凹部が形成され、
前記繋ぎ部は、前記先端部が前記係合部の複数の凹み部に嵌った状態で係合し回動するように、前記複数の凹み部間を通る形状で形成されている
ことを特徴とする請求項１記載の低挿入力コネクタ。
【請求項８】
前記係合部は、前記嵌合方向に凹んだ形状の複数の凹み部を有し、
前記レバー部は、前記係合部と係合する先端部と、前記壁部に回動及び移動可能な構造で枢支される基端部と、前記先端部及び基端部を繋ぐ繋ぎ部とから構成され、
前記基端部は、前記基端部の前記先端部及び基端部を結ぶ方向と直交する方向の一対の端面に、前記基端部の外形に沿って溝状に延びる一対の凹部を備え、
前記嵌合部の壁部には、前記壁部の外面から前記壁部と直交する方向に突出する一対のリブが形成され、
これらリブの対向端部には、前記基端部の一対の凹部とそれぞれ嵌合する互いに対向する方向に突出する一対の凸部が形成され、
前記繋ぎ部は、前記先端部が前記係合部の複数の凹み部に嵌った状態で係合し回動するように、前記複数の凹み部間を通る形状で形成されている
ことを特徴とする請求項１記載の低挿入力コネクタ。
【請求項９】
前記係合部は、前記嵌合部の一対の対向する側壁にそれぞれ設けられ、
前記スリット部及びレバー部は、前記嵌合部の一対の対向する壁部にそれぞれ設けられている
ことを特徴とする請求項１〜８のいずれか１項記載の低挿入力コネクタ。
【請求項１０】
前記嵌合本体部の係合部が設けられた側壁には、前記側壁の外面に突設され前記レバー部の基端部と係合する係止突起が形成され、
前記レバー部の基端部には、前記係止突起が挿入される係止穴が形成され、
前記嵌合本体部及び嵌合部は、前記嵌合本体部及び嵌合部の完全嵌合時にこれら係止突起及び係止穴を係合することで、前記レバー部が前記嵌合部の壁部と一部同化したような状態、又は前記レバー部の長手方向が前記壁部の外面に沿った状態でその先端部が前記係合部と係合したまま完全嵌合される
ことを特徴とする請求項１〜９のいずれか１項記載の低挿入力コネクタ。
【発明の詳細な説明】
【０００１】
【発明の属する技術分野】
この発明は、プラグコネクタハウジング及びレセプタクルコネクタハウジング同士を相互に容易に嵌合させたり、離脱させたりすることができる低挿入力コネクタに関する。
【０００２】
【従来の技術】
現在、エレクトロニクス化の急速な発展により、例えば自動車に搭載されるワイヤハーネスなどにおいても回路数（電線数）が年々増加する傾向にある。回路数の増加に伴い、ワイヤハーネスの端末部に取り付けられるコネクタも多極化（内蔵接続端子数の増加）が進展し、図８に示すような多極コネクタが多く使用されるようになってきた。この多極コネクタ１００は、内部に複数のレセプタクル接続端子（図示せず）を収容するための端子収容孔１０１が形成されたプラグコネクタハウジング１１０と、このプラグコネクタハウジング１１０が内側に嵌合すると共に内部に複数のプラグ接続端子１０２を収容するための端子収容孔（図示せず）が形成されたレセプタクルコネクタハウジング１２０と、このレセプタクルコネクタハウジング１２０に別途取り付けられたレバー１３０とから構成されている。この多極コネクタ１００のように、接続する接続端子数が増えれば、プラグコネクタハウジング１１０及びレセプタクルコネクタハウジング１２０同士の嵌合時／離脱時の接触抵抗が増加するため、両者の嵌合時の挿入力及び離脱時の引抜力もより高くなってしまう。そこで、これらの挿入力及び引抜力を低く抑えるために、レバー１３０等の倍力機構を備え、例えばプラグコネクタハウジング１１０の側面に突起１１１を形成し、レバー１３０にこの突起１１１と嵌合すると共にこの突起１１１をレセプタクルコネクタハウジング１２０の奥側に移動させるための溝１２１を形成して、レバー１３０を動かすことによりてこの原理を利用して両者を嵌合／離脱するようにしたいわゆるレバー式コネクタが知られている（例えば、特許文献１及び２参照。）。
【０００３】
【特許文献１】
特許第２７６２８９７号公報（第２−３頁、第１−５図）
【特許文献２】
特許第２９５６４９８号公報（第３−５頁、第１−１２図）
【０００４】
【発明が解決しようとする課題】
しかしながら、このようなレバー式コネクタに備えられているレバー１３０等の倍力機構は、その倍力機構を動作させるためのスペースを確保する必要があると共にてこの作用を大きくするために倍力機構を大きく（例えば、レバー１３０を大きくしたり、溝１２１を長くしたり）構成しなければならないため、レバー式コネクタ自体が大きくなる傾向にある。また、レバー式コネクタでは、プラグコネクタハウジング１１０及びレセプタクルコネクタハウジング１２０の他に別部品でレバー１３０を製造しコネクタに取り付けなければならないため、別途レバー成型金型などの製造設備が必要となり安価に製造することが困難である。
【０００５】
この発明は、このような事情に鑑みてなされたもので、適度な大きさで安価に製造することができると共に容易に嵌合を行うことができる低挿入力コネクタを提供することを目的とする。
【０００６】
【課題を解決するための手段】
この発明に係る低挿入力コネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、この嵌合本体部の側壁に設けられた、前記側壁の外面に突設された係合部とを備え、前記レセプタクルコネクタハウジングは、壁部を有しこの壁部に沿って前記プラグコネクタハウジングの嵌合本体部が内側に嵌合し、嵌合時に前記係合部が移動可能となるように前記壁部にスリット部が形成された縦断面が凹状の嵌合部と、このスリット部が形成された壁部の外面側に設けられた、嵌合時に前記スリット部に挿入された前記係合部を嵌合方向に押圧して前記嵌合本体部を前記嵌合部に完全嵌合するためのレバー部とを備え、前記レバー部は、嵌合時に先端部が前記係合部と係合すると共に前記スリット部のスリット形状に沿って前記嵌合方向に移動可能な作用点となり且つ基端部が力点となるように、前記先端部及び基端部の間に前記壁部の外面に沿った方向に回転軸を形成する状態で回動可能であると共に前記壁部に対して直交する方向に前記回転軸を支点として移動可能な構造を備えて設けられていることを特徴とする。
【０００７】
この発明によれば、従来のレバー等の倍力機構の代わりに係合部をプラグコネクタハウジングに備えると共にこの係合部が移動するスリット部及び係合部を嵌合方向に押圧するレバー部をレセプタクルコネクタハウジングに備え、嵌合部の壁部の外面に沿った方向に回転軸を形成する状態で回動可能且つ壁部に対して直交する方向に回転軸を支点として移動可能なレバー部で係合部を嵌合方向に押し込むようにして両コネクタハウジングを嵌合する。このため、従来のレバー等の倍力機構に比べ、レバー部を動かすための余分なスペースなどを少なくすることができる。また、レバー部が係合部に対して、てこのような役割を果たすため、低い挿入力でハウジング同士を容易に嵌合することが可能となる。これにより、別途作製された別部品であり且つ大柄なレバー等で倍力機構を構成していた場合と比較して、少ないスペースでハウジング同士の嵌合を容易に行うことができる低挿入力コネクタを適度な大きさで構成し安価に製造することができるようになる。
【０００８】
なお、係合部は、嵌合方向に凹んだ形状の凹み部を有し、レバー部は、先端部が係合部の凹み部に嵌った状態で係合し回動するように、係合部が通る大きさの穴部を備えて構成されていることが好ましい。このようにすれば、スムーズにレバー部を動かして嵌合動作を行うことができるようになる。
【０００９】
また、この低挿入力コネクタにおいては、▲１▼レバー部が先端部及び基端部の間に、回転軸を形成する互いに反対方向に突出する複数の凸部を備え、嵌合部の壁部には、壁部の外面から壁部と直交する方向に突出する一対のリブが形成され、これらリブの対向端部には、複数の凸部がそれぞれ移動可能な状態で嵌合する壁部に対して直交する方向に溝状に延びる一対の凹部が形成されていること、又は▲２▼レバー部が先端部及び基端部の間に、回転軸を形成する互いに反対方向に突出する複数の凸部を備え、嵌合部の壁部には、壁部の外面から壁部と直交する方向に突出する一対のリブが形成され、これらリブの対向端部及び該対向端部と連続するスリット部の対向端部には、複数の凸部がそれぞれ移動可能な状態で嵌合する壁部に対して直交する方向に溝状に延びる一対の凹部が形成されていること、若しくは▲３▼レバー部が先端部及び基端部の間の先端部及び基端部を結ぶ方向と直交する方向の一対の端面に、レバー部の外形に沿って溝状に延びる一対の凹部を備え、嵌合部の壁部には、壁部の外面から壁部と直交する方向に突出する一対のリブが形成され、これらリブの対向端部には、レバー部の一対の凹部とそれぞれ嵌合する互いに対向する方向に突出する一対の凸部が形成されていることが好ましい。
【００１０】
更に、この低挿入力コネクタにおいては、▲４▼係合部が嵌合方向に凹んだ形状の複数の凹み部を有し、レバー部が係合部と係合する先端部と、壁部に回動及び移動可能な構造で枢支される基端部と、先端部及び基端部を繋ぐ繋ぎ部とから構成され、基端部は、回転軸を形成する互いに反対方向に突出する複数の凸部を備え、嵌合部の壁部には、壁部の外面から壁部と直交する方向に突出する一対のリブが形成され、これらリブの対向端部には、複数の凸部がそれぞれ移動可能な状態で嵌合する壁部に対して直交する方向に溝状に延びる一対の凹部が形成され、繋ぎ部は、先端部が係合部の複数の凹み部に嵌った状態で係合し回動するように、複数の凹み部間を通る形状で形成されていること、又は▲５▼係合部が嵌合方向に凹んだ形状の複数の凹み部を有し、レバー部が係合部と係合する先端部と、壁部に回動及び移動可能な構造で枢支される基端部と、先端部及び基端部を繋ぐ繋ぎ部とから構成され、基端部は、回転軸を形成する互いに反対方向に突出する複数の凸部を備え、嵌合部の壁部には、壁部の外面から壁部と直交する方向に突出する一対のリブが形成され、これらリブの対向端部及び該対向端部と連続するスリット部の対向端部には、複数の凸部がそれぞれ移動可能な状態で嵌合する壁部に対して直交する方向に溝状に延びる一対の凹部が形成され、繋ぎ部は、先端部が係合部の複数の凹み部に嵌った状態で係合し回動するように、複数の凹み部間を通る形状で形成されていること、若しくは、▲６▼係合部が嵌合方向に凹んだ形状の複数の凹み部を有し、レバー部が係合部と係合する先端部と、壁部に回動及び移動可能な構造で枢支される基端部と、先端部及び基端部を繋ぐ繋ぎ部とから構成され、基端部は、基端部の先端部及び基端部を結ぶ方向と直交する方向の一対の端面に、基端部の外形に沿って溝状に延びる一対の凹部を備え、嵌合部の壁部には、壁部の外面から壁部と直交する方向に突出する一対のリブが形成され、これらリブの対向端部には、基端部の一対の凹部とそれぞれ嵌合する互いに対向する方向に突出する一対の凸部が形成され、繋ぎ部は、先端部が係合部の複数の凹み部に嵌った状態で係合し回動するように、複数の凹み部間を通る形状で形成されていることが好ましい。
【００１１】
なお、係合部は、嵌合部の一対の対向する側壁にそれぞれ設けられ、スリット部及びレバー部は、嵌合部の一対の対向する壁部にそれぞれ設けられていても良い。このようにすれば、両コネクタハウジングの嵌合に際して複数のレバー部を同期させて嵌合動作を行うことができ、嵌合時のねじれやよじれの発生をより抑えることが期待できる。
【００１２】
更に、嵌合本体部の係合部が設けられた側壁には、側壁の外面に突設されレバー部の基端部と係合する係止突起が形成され、レバー部の基端部には、係止突起が挿入される係止穴が形成され、嵌合本体部及び嵌合部は、嵌合本体部及び嵌合部の完全嵌合時にこれら係止突起及び係止穴を係合することで、レバー部が嵌合部の壁部と一部同化したような状態、又はレバー部の長手方向が壁部の外面に沿った状態でその先端部が係合部と係合したまま完全嵌合されることが好ましい。
【００１３】
【発明の実施の形態】
以下、添付の図面を参照して、この発明の好ましい実施の形態を説明する。
図１は、この発明の一実施形態に係る低挿入力コネクタを示す外観斜視図、図２及び図３は、この低挿入力コネクタにおける嵌合動作を説明するための一部断面図である。
図１〜図３に示すように、低挿入力コネクタ１は、プラグコネクタハウジング１０と、レセプタクルコネクタハウジング２０とから構成されている。プラグコネクタハウジング１０は、側壁９ａ，９ｂを有しこの側壁９ａ，９ｂに沿ってレセプタクルコネクタハウジング２０と嵌合する嵌合本体部１１と、この嵌合本体部１１の両側壁９ａ，９ｂの外面側にそれぞれ突設された、側壁９ａ，９ｂの外面に沿って嵌合方向に凹んだ形状の凹み部３３を有する係合部３０と、同様に側壁９ａ，９ｂの外面側にそれぞれ突設された係止突起３９とから構成されている。このプラグコネクタハウジング１０には、例えば複数のレセプタクル接続端子４をプラグコネクタハウジング１０内に収容するための複数の端子収容孔１４が形成されている。また、プラグコネクタハウジング１０には、レセプタクルコネクタハウジング２０との完全嵌合時に両コネクタハウジング１０，２０を係止固定するためのロック機構を後述するロック凹部と共に構成するロック凸部１２を有する弾性係止片１３が形成されている。
【００１４】
一方、レセプタクルコネクタハウジング２０は、壁部８ａ，８ｂを有しこの壁部８ａ，８ｂに沿ってプラグコネクタハウジング１０の嵌合本体部１１が内側に嵌合し、嵌合時に係合部３０が嵌合方向に移動可能となるように壁部８ａ，８ｂにスリット部２２が形成された縦断面が凹状の嵌合部２１と、このスリット部２２が形成された壁部８ａ，８ｂの外面側にそれぞれ設けられた、嵌合時にスリット部２２に挿入された嵌合本体部１１の係合部３０を嵌合方向に押圧して嵌合本体部１１を嵌合部２１の内側に完全嵌合するためのレバー部４０とを備えて構成されている。このレセプタクルコネクタハウジング２０には、例えば複数のプラグ接続端子３をレセプタクルコネクタハウジング２０内に収容するための複数の端子収容孔２４が形成されている。また、レセプタクルコネクタハウジング２０には、プラグコネクタハウジング１０との完全嵌合時に両コネクタハウジング１０，２０を係止固定するためのロック機構を上記ロック凸部１２と共に構成するロック凹部２３が形成されている。
【００１５】
レバー部４０は、この例では嵌合時に先端部４１が係合部３０の凹み部３３に係合すると共に嵌合部２１のスリット部２２のスリット形状に沿って嵌合方向に移動可能な作用点となり且つ基端部４２が力点となるように、先端部４１と基端部４２との間に壁部８ａ，８ｂの外面に沿った方向に回転軸を形成する状態で回動可能であると共に壁部８ａ，８ｂに対して直交する方向に回転軸を支点として移動可能な構造の板状部材からなる。即ち、レバー部４０は、先端部４１が係合部３０の凹み部３３に嵌った状態で係合し回動するように、レバー部４０の厚さ方向に貫通した係合部３０が通る大きさの穴部４３と、先端部４１及び基端部４２の間に、回転軸を形成する互いに反対方向に突出する複数の凸部４４とを備えている。また、これら複数の凸部４４に対応して、嵌合部２１の壁部８ａ，８ｂには、壁部８ａ，８ｂの外面から壁部８ａ，８ｂと直交する方向に突出する一対のリブ５１，５２が形成され、これらリブ５１，５２の対向端部及びこの対向端部と連続するスリット部２２の対向端部には、複数の凸部４４がそれぞれ移動可能な状態で嵌合する壁部８ａ，８ｂに対して直交する方向に溝状に延びる一対の凹部４５が形成されている。このように、複数の凸部４４と一対の凹部４５とがそれぞれ嵌合することにより、レバー部４０は、嵌合部２１に回動及び移動可能な構造で備えられている。
【００１６】
なお、レバー部４０の基端部４２には、厚さ方向に貫通した係止穴３８が形成されており、両コネクタハウジング１０，２０の完全嵌合時にこの係止穴３８に嵌合本体部１１の側壁９ａ，９ｂに形成された係止突起３９が挿入されレバー部４０が嵌合部２１に係止される構造となっている。
【００１７】
このように構成された低挿入力コネクタ１における両コネクタハウジング１０，２０の嵌合動作は、図２及び図３に示すようにして行われる。まず、図２に示すように、プラグコネクタハウジング１０の嵌合本体部１１が、レセプタクルコネクタハウジング２０の嵌合部２１の内側に嵌ると共に、嵌合本体部１１の側壁９ａ，９ｂに形成された係合部３０がスリット部２２に挿入されるように、例えばプラグコネクタハウジング１０を図中矢印Ａ方向に動かしレセプタクルコネクタハウジング２０に近づける。すると、図３（ａ）に示すように、嵌合本体部１１が嵌合部２１の内側にいくらか嵌合され、プラグコネクタハウジング１０のレセプタクル接続端子４とレセプタクルコネクタハウジング２０のプラグ接続端子３とが僅かに嵌合した初期嵌合状態となる。このとき、スリット部２２に挿入された係合部３０の凹み部３３にレバー部４０の先端部４１が係止し、係合部３０がレバー部４０の穴部４３に嵌った状態で係合するように、レバー部４０の基端部４２側を図中矢印Ｂ方向に動かしてレバー部４０と係合部３０とを係合する。そのまま、レバー部４０の基端部４２側を図中矢印Ｂ方向に動かすと、レバー部４０全体が凸部４４を支点としてリブ５１，５２の凹部４５に沿ってスリット部２２に近づく方向に移動すると共に、てこの原理により先端部４１が係合部３０の凹み部３３を嵌合方向に押圧するため、嵌合本体部１１が嵌合部２１の内側に更に嵌合される。そして、同図（ｂ）に示すように、レセプタクル接続端子４とプラグ接続端子３とが完全に嵌合され、嵌合本体部１１が嵌合部２１の内側に完全嵌合し、両コネクタハウジング１０，２０が完全嵌合される。このとき、レバー部４０は、壁部８ａ，８ｂのスリット部２２に嵌り、一部が壁部８ａ，８ｂと同化したような状態となると共に、係止穴３８に嵌合本体部１１の係止突起３９が挿入されて係合するため、先端部４１が係合部３０とロックされ且つ基端部４２が嵌合本体部１１とロックされた状態となり、嵌合本体部１１と嵌合部２１との完全嵌合状態を保持する役割を果たす。
【００１８】
このように、この低挿入力コネクタ１によれば、嵌合部２１のスリット部２２に挿入された嵌合本体部１１の係合部３０を、レバー部４０を動かして嵌合方向に移動させるという簡単な動作で両コネクタハウジング１０，２０を完全嵌合することができる。また、レバー部４０の動作範囲は、従来のレバー等に比べると小さいので、結果的に動作スペースを小さくすることができると共にコネクタの大きさを小さくすることができる。
【００１９】
なお、この例の低挿入力コネクタ１では、レバー部４０に複数の凸部４４が形成され、嵌合部２１のリブ５１，５２及びスリット部２２の対向端部に凸部４４と嵌合する凹部４５が形成された場合について説明したが、例えば図４に示すように、レバー部４０の先端部４１及び基端部４２を結ぶ方向と直交する方向の一対の端面に、レバー部４０の外形に沿って溝状に延びる一対の凹部４５が形成され、リブ５１，５２の対向端部に、レバー部４０の凹部４５と嵌合する互いに対向する方向に突出する一対の凸部４４が形成されていても良い。この場合においても、レバー部４０の動作については、同様の効果を得ることができる。
【００２０】
図５は、この発明の他の実施形態に係る低挿入力コネクタを示す外観斜視図、図６は、この低挿入力コネクタにおける完全嵌合時の状態を説明するための一部断面図である。なお、以降において、既に説明した部分と重複する説明は割愛する。
図５に示すように、この低挿入力コネクタ１ａは、レセプタクルコネクタハウジング２０の壁部８ａ，８ｂに形成されたスリット部２２の短手方向スリット幅ｈが短く形成され、係合部３０がこのスリット部２２のスリット幅に合わせてａ方向の幅が短く且つ凹み部３３の凹み部分が広くなるようにｂ方向の幅が長く形成され、凹部４５がリブ５１，５２の対向端部のみに形成され、図６に示すように、両コネクタハウジング１０，２０の完全嵌合時にレバー部４０がスリット部２２に嵌らずにその長手方向が壁部８ａ，８ｂの外面に沿った状態で嵌合本体部１１と嵌合部２１との完全嵌合状態を保持する点が、先の例の低挿入力コネクタ１と相違している。この低挿入力コネクタ１ａにおいても、上記低挿入力コネクタ１と同様に、レバー部４０を動かすという簡単な動作で両コネクタハウジング１０，２０を完全嵌合することができる。
【００２１】
図７は、この発明の更に他の実施形態に係る低挿入力コネクタを示す外観斜視図である。
図７に示すように、この低挿入力コネクタ２は、係合部３０が複数の凹み部３３を有して構成され、レバー部４０が係合部３０と係合する先端部４１と、基端部４２と、先端部４１及び基端部４２を繋ぐ繋ぎ部４８とから構成され、この繋ぎ部４８が係合部３０の複数の凹み部３３間ｔを通る形状で形成され、更に基端部４２に複数の凸部４４が形成されて壁部８ａ，８ｂの外面側に備えられている点が、先の例の低挿入力コネクタ１と相違している。この低挿入力コネクタ２においても、上記低挿入力コネクタ１と同様に、レバー部４０を動かすという簡単な動作で両コネクタハウジング１０，２０を完全嵌合することが可能となる。
【００２２】
なお、上記例の低挿入力コネクタ１，１ａ，２においては、係合部３０、レバー部４０、スリット部２２及びリブ５１，５２が、嵌合本体部１１及び嵌合部２１の両側壁９ａ，９ｂと両壁部８ａ，８ｂとに形成されていたが、いずれか一方の対応する側壁９ａ（又は９ｂ）及び壁部８ａ（又は８ｂ）のみに形成されていても良い。
【００２３】
【発明の効果】
以上述べたように、この発明によれば、従来のレバー等の倍力機構の代わりに係合部をプラグコネクタハウジングに備えると共にこの係合部が移動するスリット部及び係合部を嵌合方向に押圧するレバー部をレセプタクルコネクタハウジングに備え、嵌合部の壁部の外面に沿った方向に回転軸を形成する状態で回動可能且つ壁部に対して直交する方向に回転軸を支点として移動可能なレバー部で係合部を嵌合方向に押し込むようにして両コネクタハウジングを嵌合する。このため、従来のレバー等の倍力機構に比べ、レバー部を動かすための余分なスペースなどを少なくすることができる。また、レバー部が係合部に対して、てこのような役割を果たすため、低い挿入力でハウジング同士を容易に嵌合することが可能となる。これにより、別途作製された別部品であり且つ大柄なレバー等で倍力機構を構成していた場合と比較して、少ないスペースでハウジング同士の嵌合を容易に行うことができる低挿入力コネクタを適度な大きさで構成し安価に製造することができるようになるという効果を奏する。
【図面の簡単な説明】
【図１】この発明の一実施形態に係る低挿入力コネクタを示す外観斜視図である。
【図２】同低挿入力コネクタにおける嵌合動作を説明するための一部断面図である。
【図３】同低挿入力コネクタにおける嵌合動作を説明するための一部断面図である。
【図４】同低挿入力コネクタにおけるレバー部及びリブの凸部と凹部との関係が異なる場合を説明するための外観斜視図である。
【図５】この発明の他の実施形態に係る低挿入力コネクタを示す外観斜視図である。
【図６】同低挿入力コネクタにおける完全嵌合時の状態を説明するための一部断面図である。
【図７】この発明の更に他の実施形態に係る低挿入力コネクタを示す外観斜視図である。
【図８】従来の低挿入力コネクタを示す外観斜視図である。
【符号の説明】１，１ａ，２…低挿入力コネクタ、３…プラグ接続端子、４…レセプタクル接続端子、８…壁部、９…側壁、１０…プラグコネクタハウジング、１１…嵌合本体部、１２…ロック凸部、１３…弾性係止片、１４，２４…端子収容孔、２０…レセプタクルコネクタハウジング、２１…嵌合部、２２…スリット部、２３…ロック凹部、３０…係合部、３３…凹み部、３８…係止穴、３９…係止突起、４０…レバー部、４１…先端部、４２…基端部、４３…穴部、４４…凸部、４５…凹部、５１，５２…リブ。
【図１】
2004200070.tif 000003
【図２】
2004200070.tif 000004
【図３】
2004200070.tif 000005
【図４】
2004200070.tif 000006
【図５】
2004200070.tif 000007
【図６】
2004200070.tif 000008
【図８】
2004200070.tif 000009
【図７】
2004200070.tif 000010